(57)【要約】【課題】  事前にボード（頁）の順番を揃えたり、また、進行時には頁を入れ替えたりする必要がなく、幼稚園児や小学校低学年の児童でも容易に取り扱うことができる紙芝居装置を提供する。【解決手段】  観客Ｐ２に対する観客面側に紙芝居絵が記載され、その裏面側（話し手Ｐ１側）に紙芝居文が記載される頁シートの複数枚を折り曲げ線を介して帯状につなげたシート連設体と、上記シート連設体を観客面側を表にして折り曲げ線を折り曲げながら巻回してなるシート巻回体１００を回転可能に支持する回転支持台座２００とを備える。【選択図】  図１
2006296834.tif 000002
【特許請求の範囲】
【請求項１】
観客面側に紙芝居絵が記載され、その裏面側に紙芝居文が記載される頁シートの複数枚を折り曲げ線を介して帯状につなげたシート連設体と、上記シート連設体を上記観客面側を表にして上記折り曲げ線を折り曲げながら巻回してなるシート巻回体を回転可能に支持する回転支持台座とを備えていることを特徴とする紙芝居装置。
【請求項２】
上記シート巻回体が三角筒状に巻回され、上記観客面側の紙芝居絵についての上記紙芝居文が１頁シート分離れた上記頁シートの裏面側に記載されることを特徴とする請求項１に記載の紙芝居装置。
【請求項３】
上記シート巻回体が扁平な筒体となるように１頁シートずつ渦巻き状に巻回され、上記観客面側の紙芝居絵についての上記紙芝居文が隣接する上記頁シートの裏面側に記載されることを特徴とする請求項１に記載の紙芝居装置。
【請求項４】
上記シート連設体の折り曲げ線には、両端に折り曲げ線を残して中央部分にスリット孔を形成してなる第１折り曲げ線と、中央部分に上記スリット孔とほぼ同一長さの折り曲げ線を残して両端にスリット溝を形成してなる第２折り曲げ線とが含まれることを特徴とする請求項１ないし３のいずれか１項に記載の紙芝居装置。
【請求項５】
上記回転支持台座は、１枚の板状基材を折り曲げることにより組み立てられ、上記板状基材には、各々が上記シート巻回体内に挿入される軸受け片を有し、折り曲げにより起立する左右一対の支持板が含まれていることを特徴とする請求項１ないし４のいずれか１項に記載の紙芝居装置。
【請求項６】
上記板状基材は、折り曲げにより起立し上記軸受け片と協働して上記シート巻回体を所定の角度に保持するストッパー片をさらに備えることを特徴とする請求項５に記載の紙芝居装置。
【発明の詳細な説明】
【技術分野】
【０００１】
本発明は紙芝居装置に関し、さらに詳しく言えば、幼稚園児や小学校低学年の児童でも容易に取り扱うことができる紙芝居装置に関するものである。
【背景技術】
【０００２】
よく知られているように、紙芝居は、観客面側に紙芝居絵が書かれ、裏面側にその紙芝居絵についての紙芝居文が書かれた複数枚のボードを物語の進行順に並べてフレームにセットし、そのボードを１枚ずつ入れ替えて、観客に絵を見せながら話しを進めていく、一種の娯楽的な学習教材として用いられている（例えば、特許文献１参照）。
【０００３】
【特許文献１】特開２００３−２２０７７５号公報
【発明の開示】
【発明が解決しようとする課題】
【０００４】
しかしながら、従来の紙芝居は、各ボードを物語の進行順に揃えたり、ボードを１枚ずつ入れ替える必要があるため、その取り扱いに面倒な点がある。特に、児童に取り扱わせる場合には、しばしばボードの並べ順を間違えたり、ボードの入れ替えミスをする。
【０００５】
したがって、本発明の課題は、事前にボードの順番を揃えたり、また、進行時にはボードを入れ替えたりする必要がなく、幼稚園児や小学校低学年の児童でも容易に取り扱うことができる紙芝居装置を提供することにある。
【課題を解決するための手段】
【０００６】
上記課題を解決するため、請求項１に記載の発明は、観客面側に紙芝居絵が記載され、その裏面側に紙芝居文が記載される頁シートの複数枚を折り曲げ線を介して帯状につなげたシート連設体と、上記シート連設体を上記観客面側を表にして上記折り曲げ線を折り曲げながら巻回してなるシート巻回体を回転可能に支持する回転支持台座とを備えていることを特徴としている。
【０００７】
請求項２に記載の発明は、上記請求項１において、上記シート巻回体が三角筒状に巻回され、上記観客面側の紙芝居絵についての上記紙芝居文が１頁シート分離れた上記頁シートの裏面側に記載されることを特徴としている。
【０００８】
請求項３に記載の発明は、上記請求項１において、上記シート巻回体が扁平な筒体となるように１頁シートずつ渦巻き状に巻回され、上記観客面側の紙芝居絵についての上記紙芝居文が隣接する上記頁シートの裏面側に記載されることを特徴としている。
【０００９】
請求項４に記載の発明は、上記請求項１ないし３のいずれか１項において、上記シート連設体の折り曲げ線には、両端に折り曲げ線を残して中央部分にスリット孔を形成してなる第１折り曲げ線と、中央部分に上記スリット孔とほぼ同一長さの折り曲げ線を残して両端にスリット溝を形成してなる第２折り曲げ線とが含まれることを特徴としている。
【００１０】
請求項５に記載の発明は、上記請求項１ないし４のいずれか１項において、上記回転支持台座は、１枚の板状基材を折り曲げることにより組み立てられ、上記板状基材には、各々が上記シート巻回体内に挿入される軸受け片を有し、折り曲げにより起立する左右一対の支持板が含まれていることを特徴としている。
【００１１】
請求項６に記載の発明は、上記請求項５において、上記板状基材は、折り曲げにより起立し上記軸受け片と協働して上記シート巻回体を所定の角度に保持するストッパー片をさらに備えることを特徴としている。
【発明の効果】
【００１２】
請求項１に記載の発明によれば、観客面側に紙芝居絵が記載され、その裏面側に紙芝居文が記載される頁シートの複数枚を折り曲げ線を介して帯状につなげたシート連設体としたことにより、事前に頁を揃える必要がない。また、シート連設体を観客面側を表にして折り曲げ線を介して巻回してシート巻回体とし、そのシート巻回体を回転支持台座に回転可能に支持させることにより、シート連設体を引いてシート巻回体を回転させるだけで頁が次々と変わるため、頁を入れ替える必要もない。したがって、幼稚園児や小学校低学年の児童でも容易に取り扱うことができる。
【００１３】
シート巻回体を三角筒状の巻回体とし、観客面側の紙芝居絵についての紙芝居文を１頁シート分離れた頁シートの裏面側に記載するようにした請求項２に記載の発明によれば、表示されている紙芝居絵の紙芝居文が回転支持台座の裏側に引き出されるため、頁間違えをすることなく、紙芝居文を読むことができる。
【００１４】
シート巻回体を扁平な筒体となるように１頁シートずつ渦巻き状に巻回し、観客面側の紙芝居絵についての紙芝居文が隣接する頁シートの裏面側に記載するようにした請求項３に記載の発明においても、請求項２と同様に、表示されている紙芝居絵の紙芝居文が回転支持台座の裏側に引き出されるため、頁間違えをすることなく、紙芝居文を読むことができる。
【００１５】
シート連設体の折り曲げ線に、両端に折り曲げ線を残して中央部分にスリット孔を形成してなる第１折り曲げ線と、中央部分に上記スリット孔とほぼ同一長さの折り曲げ線を残して両端にスリット溝を形成してなる第２折り曲げ線とを含ませる請求項４に記載の発明によれば、各頁シートを同じ寸法としても、シート連設体をコンパクトに巻き込むことができる。
【００１６】
回転支持台座は１枚の板状基材を折り曲げることにより組み立てられ、その板状基材には各々がシート巻回体内に挿入される軸受け片を有し、折り曲げにより起立する左右一対の支持板が含まれている請求項５に記載の発明によれば、使用者に平板状態で回転支持台座を提供できるため、梱包容積を大幅に縮小でき搬送コストの低減が図れるとともに、使用者に回転支持台座の組み立てに興味を持たせることができる。
【００１７】
板状基材に折り曲げにより起立し、軸受け片と協働してシート巻回体を所定の角度に保持するストッパー片を設ける請求項６に記載の発明によれば、頁シートの観客面側が表に向く位置でシート巻回体をクリック的に回転させることができる。
【発明を実施するための最良の形態】
【００１８】
次に、図面を参照しながら、本発明のいくつかの実施形態について説明するが、本発明はこれに限定されるものではない。
【００１９】
図１のイラスト図に示すように、この紙芝居装置は、シート巻回体１００を回転支持台座２００に回転可能に装着して、話し手Ｐ１がシート巻回体１００を回転させて頁を次々と変えながら物語を進行させて観客Ｐ２に紙芝居を見せる装置である。
【００２０】
図２にシート巻回体１００を回転支持台座２００に装着した組立斜視図を示すが、まず、図３および図４により、シート巻回体１００の構成について説明する。図３はシート巻回体１００の展開図で、（ａ）は観客面側（表面側），（ｂ）は裏面側を示している。
【００２１】
この第１実施形態では、シート巻回体１００は三角筒状に巻回され、これを展開したものが図３に示すシート連設体１１０である。この例において、シート連設体１１０には、一列状に配列される７枚の頁シート１１１〜１１７が含まれ、一端側の頁シート１１１にはつまみ片１１８が連設されている。各頁シートの材質は厚紙が好ましいが、プラスチックシートや木材などであってもよい。
【００２２】
各頁シート１１１〜１１７はともに同一寸法の矩形状であり、その各々の間には折り曲げ線が設けられるが、本発明において、折り曲げ線には、第１折り曲げ線１２０と第２折り曲げ線１３０の２種類の折り曲げ線が含まれる。
【００２３】
第１折り曲げ線１２０は、両端に折り曲げ線１２２を残して中央部分にスリット孔１２１を形成してなる折り曲げ線である。これに対して、第２折り曲げ線１３０は、中央部分に上記スリット孔１２１とほぼ同一長さの折り曲げ線１３１を残して両端にスリット溝１３２を形成してなる折り曲げ線である。
【００２４】
第１折り曲げ線１２０および第２折り曲げ線１３０は、それぞれ２つ並び（１２０→１２０→１３０→１３０の並び順）として交互に配置されるのを原則とする。この例において、第１折り曲げ線１２０は、頁シート１１１と１１２との間，頁シート１１４と１１５との間および頁シート１１５と１１６との間にそれぞれ適用され、第２折り曲げ線１３０は、頁シート１１２と１１３との間，頁シート１１３と１１４との間および頁シート１１６と１１７との間にそれぞれ適用されている。
【００２５】
これによれば、梱包時や保管時にシート連設体１１０を各頁シートを渦巻き状に巻き込んで折り畳む際に、例えば頁シート１１７側から折り畳むとすれば、頁シート１１６，１１７間の折り曲げ線１３１による凸部が、頁シート１１４，１１５間のスリット孔１２１に嵌合するとともに、頁シート１１５，１１６間の折り曲げ線１２２，１２２による各凸部が、頁シート１１３，１１４間のスリット溝１３２，１３２に嵌合するため（他の頁シートもこの繰り返し）、各頁シートが同寸であっても、嵩張ることなくコンパクト（扁平）に折り畳むことができる。また、頁シート１１７側からでも、頁シート１１１側からでも折り畳むことができる。
【００２６】
図３（ａ）に示すように、各頁シート１１１〜１１７の観客面側には、紙芝居絵および表紙などが記載される。この例では、シート連設体１１０が頁シート１１７側から三角筒状に巻回されるため、全７頁のうち、頁シート１１１側を１頁として、１頁目の頁シート１１１は当該装置の取説用，２頁目の頁シート１１２は表紙として用いられる。
【００２７】
そして、３頁〜７頁の頁シート１１３から頁シート１１７の５頁が紙芝居絵に割り当てられ、物語の進行順に、頁シート１１３に１の絵，頁シート１１４に２の絵，頁シート１１５に３の絵，頁シート１１６に４の絵，頁シート１１７に５の絵が記載される。
【００２８】
これに対して、各頁シート１１１〜１１７の裏面側には、図３（ｂ）に示すように、紙芝居文が記載されるが、この例では、紙芝居絵が１の絵〜５の絵の５頁であり、また、シート巻回体１００が三角筒状であるため（７面／５頁分，三角折り）、観客Ｐ２に表示されている絵と、話し手Ｐ１の手元で読まれる文章との間には、少なくとも１頁分の間隔を置く必要がある。
【００２９】
そのため、１頁目の頁シート１１１の裏面側には１の絵に対応する１の文，２頁目の頁シート１１２の裏面側には２の絵に対応する２の文，３頁目の頁シート１１３の裏面側には３の絵に対応する３の文，４頁目の頁シート１１４の裏面側には４の絵に対応する４の文，５頁目の頁シート１１５の裏面側には５の絵に対応する５の文が記載される。
【００３０】
この例において、残りの６〜７頁の頁シート１１６，１１７の裏面側は当該装置の取説用としているが、ブランクとしてもよい。また、紙芝居絵および紙芝居文は、メーカ側（当該装置の提供者側）で所定の物語を選択して印刷してもよいし、ブランク頁としておきユーザー側で書き込むようにしてもよい。
【００３１】
使用するにあたっては、図４（ａ）〜（ｃ）に示すように、シート連設体１１０を７頁目の頁シート１１７側から、図３（ａ）の観客面側が表となるように三角形となるように巻回して、図１および図２に示すシート巻回体１００を作る。
【００３２】
次に、図５ないし図７により、回転支持台座２００について説明する。図５は回転支持台座２００を構成する板状基材を示す斜視図，図６および図７は回転支持台座２００の組立手順を説明するための斜視図である。
【００３３】
本発明の好ましい態様によれば、回転支持台座２００は、図５に示す板状基材２１０を折り曲げることにより形成される。板状基材２１０は厚紙が好ましいが、プラスチックシートや木材などであってもよい。図５において、板状基材２１０の左斜め下の観客Ｐ２側に向けられる辺を前辺２１０ａ，これと対向する後辺を２１０ｂ，左辺を２１０ｃ，右辺を２１０ｄとする。
【００３４】
板状基材２１０の左辺２１０ｃと右辺２１０ｄ側に、支持板２２０が左右対称的に形成される。各支持板２２０には、上記シート巻回体１００内に挿入される軸受け片２２１が含まれるとともに、各支持板２２０の前辺２１０ａ側の裾部分に、上記シート巻回体１００を所定の角度に保持するストッパー片２５０が一体に形成される。
【００３５】
各支持板２２０の間には、先端にほぼＴ字状に拡幅された拡幅部２３１を有する骨格片２３０が後辺２１０ｂ側を基端とする切り起こし舌片状に形成される。骨格片２３０の幅は、ストッパー片２５０，２５０間の幅よりも大きい。骨格片２３０の両側には、ストッパー片２５０を起立した状態に保つためのストッパー押さえ片２４０が後辺２１０ｂ側を基端とする切り起こし舌片状に形成される。
【００３６】
また、前辺２１０ａ側には、ストッパー片２５０，２５０の間を通って骨格片２３０の先端部側に延びる強度保持用の下敷き片２６０が設けられる。支持板２２０，ストッパー片２５０，骨格片２３０，ストッパー押さえ片２４０および下敷き片２６０などは、トムソン刃などによる切り込み線にて同時に形成することができる。
【００３７】
また、支持板２２０の中央部分には、軸受け片２２１の部分を含めて、前辺２１０ａ，後辺２１０ｂとほぼ平行な山折り線Ｌ１が設けられる。支持板２２０の両裾部分には、谷折り線Ｌ２，Ｌ３が設けられる。骨格片２３０のの中央部分には、左辺２１０ｃ，右辺２１０ｄとほぼ平行な山折り線Ｌ４が設けられる。なお、下敷き片２６０に山折り線Ｌ４の延長線としての山折り線Ｌ５を形成することにより、梱包時や保管時に板状基材２１０を２つ折りとすることができる。
【００３８】
回転支持台座２００を組み立てるには、図６に示すように、まず山折り線Ｌ１を山折り、谷折り線Ｌ２，Ｌ３を谷折りして支持板２２０，２２０およびストッパー片２５０，２５０を起立させながら、骨格片２３０を下敷き片２６０上に起こして矢印方向（前辺２１０ａ側）に引っ張る。
【００３９】
そして、骨格片２３０の拡幅部２３１，２３１をストッパー片２５０，２５０を乗り越えさせてから、骨格片２３０を山折り線Ｌ４に沿って山折りして、骨格片２３０の幅を狭めてストッパー片２５０，２５０の間に入れたのち、図７に示すように、骨格片２３０を平らに戻す。
【００４０】
これにより、拡幅部２３１，２３１が、ストッパー片２５０，２５０に引っ掛かるとともに、骨格片２３０の両側辺が、ストッパー片２５０，２５０の切り込み線内に入り込む。また、ストッパー押さえ片２４０，２４０が、ストッパー片２５０，２５０の裏面側に当接する。
【００４１】
このようにして、軸受け片２２１，２２１を含む左右一対の支持板２２０，２２０を有する回転支持台座２００が組み立てられる。紙芝居を行うには、図２に示すように、軸受け片２２１，２２１間にシート巻回体１００をセットする。このとき、シート巻回体１００をストッパー片２５０，２５０の裏面側に当接させる。
【００４２】
図２は観客Ｐ２側から見た前方斜視図で、まず最初に、観客Ｐ２側には頁シート１１１（２頁目）の表紙が表示される。このときの話し手Ｐ１側から見た後方斜視図を図８に示す。話し手Ｐ１側には頁シート１１３（３頁目）の１の絵が逆様に表れる。
【００４３】
この状態から物語りを進める。その進行状態を図９ないし図１３により説明するが、これらの図はいずれも、図８と同じく話し手Ｐ１側から見た後方斜視図である。まず、つまみ片１１８を手前側に引っ張ってシート巻回体１００を１頁分回転させる。
【００４４】
これにより、図９に示すように、観客Ｐ２側には頁シート１１３（３頁目）の１の絵が表示されるとともに、話し手Ｐ１側には頁シート１１１（１頁目）の１の文が表れる。話し手Ｐ１は１の文を読みながら、１の絵について説明する。
【００４５】
以後は同様にして、図１０〜１３に示すように、各頁シートを手前側に引っ張りながら、シート巻回体１００を１頁分ずつ回転させて、頁シート１１７（７頁目）の５の絵まで物語を進める。
【００４６】
なお、シート巻回体１００を回転させる際、各頁シートがストッパー片２５０，２５０に当接するため、シート巻回体１００が１頁分ずつ確実に回転する。また、図１３に示す最終頁の状態となった場合でも、最終頁はストッパー片２５０，２５０により押さえられるため、観客Ｐ２側に倒れることはない。
【００４７】
以上、シート巻回体１００を７面／５頁分で，三角折りとする第１実施形態について説明したが、次に、図１４ないし図１６により、シート巻回体１００を６面／５頁分で，扁平な筒体となるように巻き込み折りとする第２実施形態について説明する。
【００４８】
図１４は第２実施形態に係るシート連設体１１０の展開図で、（ａ）は観客面側を示し、（ｂ）はその裏面側を示している。このシート連設体１１０には、１〜６頁の頁シート１１１〜１１６が含まれ、頁シート１１１〜１１６は折り曲げ線を介して連設される。折り曲げ線には、上記第１実施形態と同じく、第１折り曲げ線１２０と第２折り曲げ線１３０とが含まれていることが好ましい。
【００４９】
この第２実施形態では、シート連設体１１０が、図１５（ａ）（ｂ）に示すように、観客面側を表として、１頁シートずつ渦巻き状に巻回されることにより、図１５（ｃ）に示すように、シート巻回体１００が扁平な筒体とされるため、観客Ｐ２に表示されている絵と、話し手Ｐ１の手元で読まれる文章は１頁ずらす必要がある。
【００５０】
そのため、６頁目の頁シート１１６側から巻回されるとして、１頁目の頁シート１１１の観察面は表紙，その裏面側には１の文が記載される。２頁目の頁シート１１２の観察面には１の絵，その裏面側には２の文が記載される。３頁目の頁シート１１３の観察面には２の絵，その裏面側には３の文が記載される。
【００５１】
４頁目の頁シート１１４の観察面には３の絵，その裏面側には４の文が記載される。５頁目の頁シート１１５の観察面には４の絵，その裏面側には５の文が記載される。６頁目の頁シート１１６の観察面には５の絵が記載され、その裏面側は取説用などに割り当てられる。６頁目の頁シート１１６の裏面側はブランクとしてもよい。
【００５２】
この第２実施形態においても、上記第１実施形態で説明した回転支持台座２００をそのまま使用することができ、図１６に第２実施形態に係る扁平筒状のシート巻回体１００を回転支持台座２００に装着した状態の側面図を示す。
【００５３】
使い方は、上記第１実施形態と同じで、シート連設体１１０を話し手Ｐ１の手元側に引っ張ってシート巻回体１００を１頁分ずつ回転させる。上記第１実施形態と異なる点は、第１実施形態では１回の回転量が１２０゜であるのに対して、第２実施形態では１８０゜であることである。
【００５４】
次に、図１７ないし図１９を参照して、図５ないし図７で説明した回転支持台座２００の変形例について説明する。
【００５５】
この変形例に係る回転支持台座２００Ａと上記回転支持台座２００の異なる点は、各支持板２２０の前辺２１０ａ側の裾部分に一体的に形成されるストッパー片２５０が、上記回転支持台座２００のものより小さくされている点と、ストッパー片２５０を小さくしたことに伴って、下敷き片２６０の両側に、組立時に骨格片２３０の両側を押さえ込むフラップ２７１を有する押え板２７０を設けた点で、その他の構成は上記回転支持台座２００と同じである。
【００５６】
この回転支持台座２００Ａを組み立てるには、図１８に示すように、まず山折り線Ｌ１を山折り、谷折り線Ｌ２，Ｌ３を谷折りして支持板２２０，２２０およびストッパー片２５０，２５０を起立させながら、骨格片２３０を下敷き片２６０上に起こして前辺２１０ａ側に引っ張る。このとき、ストッパー押さえ片２４０，２４０を押え板２７０，２７０の上にして、ストッパー片２５０，２５０の裏面に宛がわれるようにする。
【００５７】
そして、骨格片２３０の拡幅部２３１，２３１を押え板２７０，２７０を乗り越えさせてから、骨格片２３０を山折り線Ｌ４に沿って山折りして骨格片２３０の幅を狭め、骨格片２３０の両側を押え板２７０，２７０のフラップ２７１，２７１の下に潜らせて、骨格片２３０を平らに戻す。
【００５８】
これにより、図１９に示すように、骨格片２３０の両側がフラップ２７１，２７１により押さえ込まれるとともに、骨格片２３０の両側辺がフラップ２７１，２７１の切れ目２７１ａ，２７１ａに引っ掛かり、また、ストッパー押さえ片２４０，２４０が、ストッパー片２５０，２５０の裏面側に当接し、回転支持台座２００Ａがしっかりと組み立てられる。
【００５９】
回転支持台座２００Ａを使用する場合には、シート回転体１００の最終頁が不用意に観客Ｐ２側に倒れないようにするため、最終頁の手前の頁、すなわち図３の例では６頁目の頁シート１１６，図１４の例では５頁目の頁シート１１５の両側にストッパー片２５０，２５０に係止さる係止溝１１９，１１９を形成することが好ましい。
【００６０】
これによれば、話し手Ｐ１が頁シートを手前に引っ張ってシート回転体１００を回転させる際、最終頁が表示される時点で、係止溝１１９，１１９がストッパー片２５０，２５０に係止され、それ以上最終頁が話し手Ｐ１側に引っ張られないため、最終頁が不用意に観客Ｐ２側に倒れないようにすることができる。
【００６１】
以上、図示の実施形態について本発明を説明したが、本発明には種々の変形例が含まれる。例えば、好適な例として回転支持台座２００，２００Ａを１枚の板状基材から組立可能としているが、シート巻回体を回転可能に支持できる機能を備えていれば、組み立てられた状態で提供されるものであってもよい。
【００６２】
また、上記実施形態では、シート巻回体を三角筒状もしくは扁平な筒状となるように形成しているが、場合によっては、四角筒状などの多角形状としてもよい。さらには、説明するコンテンツは昔話などの物語に限られず、例えば企業の販売促進用のツールとしても利用することができる。
【図面の簡単な説明】
【００６３】
【図１】本発明による紙芝居装置の使い方を説明するためのイラスト図。
【図２】本発明による紙芝居装置を示す観客側から見た組立斜視図。
【図３】本発明の第１実施形態で用いるシート連設体の（ａ）観客面側を示す図，（ｂ）その裏面図。
【図４】第１実施形態に係るシート連設体の巻回状態を示す模式図。
【図５】本発明が備える回転支持台座を構成する板状基材を示す展開図。
【図６】上記回転支持台座の組立手順を説明する斜視図。
【図７】上記回転支持台座の組立手順を説明する斜視図。
【図８】図２の話し手側から見た斜視図。
【図９】上記第１実施形態に係る紙芝居装置の使用状態を示す斜視図。
【図１０】上記第１実施形態に係る紙芝居装置の使用状態を示す斜視図。
【図１１】上記第１実施形態に係る紙芝居装置の使用状態を示す斜視図。
【図１２】上記第１実施形態に係る紙芝居装置の使用状態を示す斜視図。
【図１３】上記第１実施形態に係る紙芝居装置の使用状態を示す斜視図。
【図１４】本発明の第２実施形態で用いるシート連設体の（ａ）観客面側を示す図，（ｂ）その裏面図。
【図１５】上記第２実施形態に係るシート連設体の巻回状態を示す模式図。
【図１６】上記第２実施形態の使用状態を示す側面図。
【図１７】変形例に係る回転支持台座を構成する板状基材を示す展開図。
【図１８】上記変形例に係る回転支持台座の組立手順を説明する斜視図。
【図１９】上記変形例に係る回転支持台座の組立手順を説明する斜視図。
【符号の説明】
【００６４】
１００  シート巻回体
１１０  シート連設体
１１１〜１１７  頁シート
１２０  第１折り曲げ線
１２１  スリット孔
１２２  折り曲げ線
１３０  第２折り曲げ線
１３１  折り曲げ線
１３２  スリット溝
２００，２００Ａ  回転支持台座
２１０  板状基材
２２０  支持板
２２１  軸受け片
２３０  骨格片
２４０  ストッパー押さえ片
２５０  ストッパー片
Ｐ１  話し手
Ｐ２  観客
【図１】
2006296834.tif 000003
【図２】
2006296834.tif 000004
【図３】
2006296834.tif 000005
【図４】
2006296834.tif 000006
【図５】
2006296834.tif 000007
【図６】
2006296834.tif 000008
【図７】
2006296834.tif 000009
【図８】
2006296834.tif 000010
【図９】
2006296834.tif 000011
【図１０】
2006296834.tif 000012
【図１１】
2006296834.tif 000013
【図１２】
2006296834.tif 000014
【図１３】
2006296834.tif 000015
【図１４】
2006296834.tif 000016
【図１５】
2006296834.tif 000017
【図１６】
2006296834.tif 000018
【図１７】
2006296834.tif 000019
【図１８】
2006296834.tif 000020
【図１９】
2006296834.tif 000021